(57)【要約】【課題】布基礎家屋等の耐震補強にあたり、既存建造物を既存の布基礎で支持した状態で施工可能とするとともに、施工コストの低減、施工期間の短縮、基礎の強度増大を図ること。【解決手段】布基礎立上り躯体を貫通させたワイヤーを鉄筋とする鉄筋コンクリート構造のベタ基礎を布基礎に一体構造とする家屋等基礎構造。布基礎立上り躯体を貫通させたワイヤーを鉄筋とするプレスレストコンクリートベースによるベタ基礎を布基礎に一体構造としたことを特徴とする布基礎家屋の耐震補強構造。【選択図】図１０
2009215823.tif 000002
【特許請求の範囲】
【請求項１】
布基礎立上り躯体を貫通させたワイヤーを鉄筋とする鉄筋コンクリート構造のベタ基礎を布基礎に一体構造としたことを特徴とする家屋等基礎構造。
【請求項２】
前記ワイヤーがＰＣ鋼線ワイヤーであることを特徴とする請求項1に記載する家屋等基礎構造。
【請求項３】
前記ワイヤーが炭素繊維ワイヤーを含む構造であることを特徴とする請求項1に記載する家屋等基礎構造。
【請求項４】
前記ワイヤーが繊維ワイヤーと線材ワイヤーとを含む構造であることを特徴とする請求項1に記載する家屋等基礎構造。
【請求項５】
布基礎立上り躯体を貫通させたワイヤーを鉄筋とするプレスレストコンクリートベースによるベタ基礎を布基礎に一体構造としたことを特徴とする布基礎家屋の耐震補強構造
【請求項６】
布基礎立上り躯体に、鉄筋コンクリートの鉄筋を形成するためのワイヤーを貫通させたための挿入孔を形成する工程と、
布基礎立上り躯体に形成した前記挿入孔に、前記ワイヤーを貫通させて、家屋内にワイヤーを配置する工程と、
ワイヤーを緊張施工する工程と、
を含む鉄筋コンクリート基礎工法を特徴とする布基礎家屋の耐震補強工法
【請求項７】
前記ワイヤーがＰＣ鋼線ワイヤーであることを特徴とする請求項6に記載する布基礎家屋の耐震補強工法
【請求項８】
前記ワイヤーが炭素繊維ワイヤーを含む構造であることを特徴とする請求項6に記載する布基礎家屋の耐震補強工法
【請求項９】
前記ワイヤーが繊維ワイヤーと線材ワイヤーとを含む構造であることを特徴とする請求項6に記載する布基礎家屋の耐震補強工法
【請求項１０】
布基礎立上り躯体に、ＰＣ鋼線ワイヤーを貫通させたための挿入孔を形成する工程と、
布基礎立上り躯体に形成した前記挿入孔に、ＰＣ鋼線ワイヤーを貫通させて、家屋内にＰＣ鋼線ワイヤーを配置する工程と、
ＰＣ鋼線ワイヤーを緊張施工する工程と、
を含むプレスレストコンクリートベース工法を特徴とする布基礎家屋の耐震補強工法
【発明の詳細な説明】
【技術分野】
【０００１】
本願発明は、家屋、作業場、倉庫、ビル等（以下、家屋等という）の基礎構造および布基礎の家屋等の耐震補強に関するものである。 
【背景技術】
【０００２】
従来の一般的な家屋構造物は、布基礎構造によって築造されてきた。
また、家屋等基礎の耐震補強にあたり,杭基礎工法、ベタ基礎工法、地盤改良工法、等が補強工事の主流となっている。
布基礎構造の耐震補強工事に際しては、布基礎構造が支持する建造物の存在が障害となり、基礎補強は、リフォーム時、建替え時等に施工を行うのが現状であり、多大な費用が嵩む問題点がある。
【発明の開示】
【発明が解決しようとする課題】
【０００３】
本発明は、家屋等基礎構造を迅速、低コストで施工することを課題とする。
また、布基礎家屋等の耐震補強にあたり、既存建造物を既存の布基礎で支持した状態で施工可能とするとともに、施工コストの低減、施工期間の短縮、基礎の強度増大を図ることを課題とする。
【課題を解決するための手段】
【０００４】
本願第1発明は、布基礎立上り躯体を貫通させたワイヤーを鉄筋とする鉄筋コンクリート構造のベタ基礎を布基礎に一体構造としたことを特徴とする家屋等基礎構造を提供する。
【０００５】
本願第2発明は、布基礎立上り躯体を貫通させたワイヤーを鉄筋とするプレスレストコンクリートベースによるベタ基礎を布基礎に一体構造としたことを特徴とする布基礎家屋の耐震補強構造を提供する。
【０００６】
本願第３発明は、布基礎立上り躯体を貫通させたワイヤーを鉄筋とするプレスレストコンクリートベースによるベタ基礎を布基礎に一体構造としたことを特徴とする布基礎家屋の耐震補強構造を提供する。
【０００７】
本願第４発明は、布基礎立上り躯体に、鉄筋コンクリートの鉄筋を形成するためのワイヤーを貫通させたための挿入孔を形成する工程と、布基礎立上り躯体に形成した前記挿入孔に、前記ワイヤーを貫通させて、家屋内にワイヤーを配置する工程と、ワイヤーを緊張施工する工程と、を含む鉄筋コンクリート基礎工法を特徴とする布基礎家屋の耐震補強工法を提供する。
【０００８】
本願第５発明は、布基礎立上り躯体に、ＰＣ鋼線ワイヤーを貫通させたための挿入孔を形成する工程と、布基礎立上り躯体に形成した前記挿入孔に、ＰＣ鋼線ワイヤーを貫通させて、家屋内にＰＣ鋼線ワイヤーを配置する工程と、ＰＣ鋼線ワイヤーを緊張施工する工程と、を含むプレスレストコンクリートベース工法を特徴とする布基礎家屋の耐震補強工法を提供する。 
【発明の効果】
【０００９】
本願第１発明は、布基礎立上り躯体を貫通させたワイヤーを、鉄筋コンクリート構造の鉄筋とすることで、家屋等基礎の施工を簡素化して施工期間の短縮、施工コストの低減をはかることができる。また、ベタ基礎を布基礎に一体構造としたことで基礎強度を向上する効果を有する。
【００１０】
本願第１発明ないし本願第5発明は、既存の布基礎の耐震補強にあたり下記の効果を有する。
家屋等の床下施工を可能とすることで、室内への入室が不要である。
作業工程が短期かつ簡単で、材料費、施工費が低減できる。
近隣とわずかの間隔に接近して作業ができて、施工ヤードがコンパクトで近隣対策の手間が軽減する。
【００１１】
更に、本願第3発明および本願第5発明は、  プレスレスト・コンクリート・ベース工法の適用により、鉄筋等の長物をワイヤー材に転換することで、作業を用意にするとともに、ワイヤーの緊張により基礎強度が増大する。プレスレスト・コンクリート・ベースによるベタ基礎を布基礎に一体構造としたことで、既存の布基礎と一体化して耐震強度の増大、家屋等の不等沈下防止に対して効果が期待できる。
【発明を実施するための最良の形態】
【００１２】
図１、図２を参照して、1は既存の布基礎、２は本体基礎、３は布基礎立上り躯体、４は基礎玉石である。
【００１３】
５は、プレスト・コンクリート・ベースによるベタ基礎で、布基礎立上り躯体３に形成したワイヤー挿入孔６を貫通させたＰＣ鋼線ワイヤー７を緊張状態に維持してコンクリート８を流し込むことで、コンクリート鉄筋７A、7Bを有するコンクリート鉄筋とする構造物を構成する。
【００１４】
上記のベタ基礎５は、布基礎立上り躯体３のワイヤー挿入孔６に挿入したコンクリート鉄筋７A、7Bの両端部を介して、既存の布基礎1と一体構造物を構成する。
【００１５】
つぎに、施工方法を説明する。
【００１６】
Ａ.  
家屋の事前調査(布基礎構造の調査)
Ｂ.  
図３を参照して、既存の布基礎立上り躯体３に存在する開口部(空気孔)10の隣接部分を切除することで、施工開口部11を形成する。
Ｃ.
図４を参照して、既存の布基礎の本体基礎２の天端2aのレベルまでの盛土12を除去、搬出する。
Ｄ. 
図５を参照して、既存の布基礎立上り躯体３に、ワイヤー挿入孔(16mm径ないし19mm径)６を形成する。
Ｅ. 
図６および図７を参照して、前記ワイヤー挿入孔６にＰＣ鋼線ワイヤー７を貫通させることで、家屋を平面視左右方向および前後方向にＰＣ鋼線ワイヤー７を配置する。布基礎室内立上り躯体３ａのワイヤー挿入孔６に対して、ＰＣ鋼線ワイヤー７を、ケミカルボンド固定(14)する。
Ｆ.
図８を参照して、ＰＣ鋼線ワイヤー７の端部を、くさびストッパー15および緊張ジャッキ16により、布基礎立上り躯体３の外端面に固定して、ＰＣ鋼線ワイヤー７の緊張施工する。
Ｇ. 
図９を参照して、ポンプ車により生コン打説(バイプロにより水平施工) 
Ｈ.  
養生後、ワイヤー切断と養生の仕上げ。
【００１７】
図１０を参照して、コンクリート鉄筋７A、7Bを有するコンクリート鉄筋とする構造物を構成して、既存の布基礎1と一体化したべた基礎５を完成する。
【００１８】
上記の施工工程-Ｄ，Ｅ，Ｆ,Ｇ，Ｈ-は、プレストレスト・コンクリート・ベース工法を示す。
【００１９】
図１１を参照して、施工開口部11を開口部閉塞仕上げ(１5)により、施工開口部11を復元する。-----施工完了--
【００２０】
この工法は、ＰＣ鋼線が補強芯材によってプレストレスが与えられている一種の鉄筋コンクリートである。プレストレスト・コンクリート・ベースは静荷重、動荷重による引張応力を打消すように人為的、計画的に部材に圧縮応力を与えることにより、全断面に有効に働き、且つ強力コンクリートを用いることにより断面を小さくすることができる(工事経歴としては、橋梁等の適用がある)。プレストレスト・コンクリート・ベース工法を適用することにより、布基礎の断面から。ベタ基礎に変わるため、家屋の重荷重も軽減きれ、強度もより増大する。
【００２１】
なお、ＰＣ鋼線を補強芯材とし、プレストレスト・コンクリート・ベース工法を適用する実施例記載の態様が最適であるが、ワイヤーとして、ＰＣ鋼線以外の金属線ワイヤー、炭素繊維ワイヤーを含む構造、繊維ワイヤーと線材ワイヤーとを含む構造等の各種の芯材を適用しても、本願発明の目的を達成して、従来工法と比較して、[0009]発明の効果に記載するごとく、顕著な効果を有するものである。
【産業上の利用可能性】
【００２２】
本願発明は、家屋、作業場、倉庫、ビル等（以下、家屋等という）の基礎構造および布基礎の家屋等の耐震補強にあたり，施工期間の短縮、施工コストの低減、基礎強度の向上を達成し、建築土木産業の発展に寄与するもである。
【図面の簡単な説明】
【００２３】
【図１】本願発明の実施例を示す家屋等基礎構造の正面図。
【図２】同じく、平面図。
【図３】施工開口部を形成するＢ工程の説明図。
【図４】盛土1の除去・搬出するＣ工程の説明図。
【図５】ワイヤー挿入孔を形成するＤ工程の説明図。
【図６】ワイヤーを挿入するＥ工程の説明図。
【図７】同じく平面視で示す説明図。
【図８】ワイヤーを固定するＦ工程の説明図。
【図９】ポンプ車による生コン打設のＧ工程の説明図。
【図１０】布基礎と一体化したべた基礎を示す正面図。
【図１１】施工開口部の復元を示す正面図。
【符号の説明】
【００２４】
１  既存の布基礎、
２  本体基礎、
３  布基礎立上り躯体、
４  基礎玉石
５  ベタ基礎
６  ワイヤー挿入孔
７  鋼線ワイヤー
８  コンクリート
【図１】
2009215823.tif 000003
【図２】
2009215823.tif 000004
【図３】
2009215823.tif 000005
【図４】
2009215823.tif 000006
【図５】
2009215823.tif 000007
【図６】
2009215823.tif 000008
【図７】
2009215823.tif 000009
【図８】
2009215823.tif 000010
【図９】
2009215823.tif 000011
【図１０】
2009215823.tif 000012
【図１１】
2009215823.tif 000013